(57)【要約】  内容積部（３）を定めるシート材料で作られ、かつ自由縁（６）によって境界が定められた通路開口部（５）を有するハウジング（２）と、ハウジングの閉状態および開状態を定めるシート材料で作られる閉鎖機構（７）であって、自由縁に対して可動な閉鎖部（９）を有するタブ（８）を含む、閉鎖機構と、を備えるチャイルドプルーフ容器（１）。容器は、タブによって支持された第１の係止部（１２）、ハウジングと係合した第２の係止部（１３）を有するシート材料で作られる安全手段（１１）を含む。第１および第２の係止部は、閉鎖機構の閉状態で互いに安定的に係合し、かつ安全状態を定め、安全状態で、閉鎖機構が閉状態から開状態に切り替わるのを防ぐ。容器は、安全状態で、閉鎖機構が閉状態から開状態に切り替わることを可能にするために、第１の係止部と第２の係止部との係合解除を可能にする開封手段（１４）の挿入を可能にするスリット（１５）を含む。【選択図】  図３
2018516816.tif 000002
【特許請求の範囲】
【請求項１】
チャイルドプルーフ容器（１）であって、
製品を収容するように構成された内容積部（３）を画定するシート材料で作製されたハウジング（２）であって、前記ハウジング（２）が、自由縁（６）によって境界が定められた少なくとも１つの通路開口部（５）を画定する所定の数の側壁（４）を有し、前記通路開口部（５）が前記ハウジング（２）の前記内容積部（３）を外部環境と連通させるように構成されている、ハウジング（２）と、
シート材料で作製され、前記自由縁（６）で係合し、かつ前記ハウジング（２）に対して特に回転によって可動である１つの閉鎖機構（７）であって、前記閉鎖機構（７）が、前記機構自体が前記ハウジング（２）の前記内容積部（３）と前記外部環境との間の連通を妨げる少なくとも１つの閉状態を規定するように構成され、前記閉鎖機構（７）が、前記機構（７）自体が前記内容積部（３）と前記外部環境との間の連通を可能にする開状態を規定するように更に構成され、前記閉鎖機構（７）が少なくとも１つのタブ（８）を備え、前記タブが、前記ハウジング（２）の前記自由縁（６）と係合し、かつ前記ハウジングに対して特に回転によって可動である閉鎖部（９）を有し、前記タブ（８）が、前記閉鎖機構（７）の前記閉状態で前記ハウジング（２）の前記内容積部（３）の内部に挿入されるように構成された少なくとも１つの挿入部（１０）を更に有する、１つの閉鎖機構（７）と、
前記閉鎖機構（７）の前記タブ（８）によって支持された少なくとも１つの第１の係止部（１２）、及び
前記ハウジング（２）と係合し、かつ前記第１の係止部（１２）と協働するように構成された少なくとも１つの第２の係止部（１３）、
を備えるシート材料で作製された少なくとも１つの安全手段（１１）であって、
前記第１の係止部（１２）および前記第２の係止部（１３）が、安全状態を規定するために前記閉鎖機構（７）の前記閉状態で互いに安定的に係合するように構成され、前記第１の係止部（１２）および前記第２の係止部（１３）が、前記安全状態で前記閉鎖機構（７）が前記閉状態から前記開状態に切り替わるのを防ぐように構成されている、少なくとも１つの安全手段（１１）と、を備え、
前記容器（１）が、少なくとも前記安全状態で少なくとも１つの開封手段（１４）を挿入することを可能にするように構成された少なくとも１つのスリット（１５）を備え、前記開封手段が、前記第１の係止部（１２）および前記第２の係止部（１３）を互いに係合解除することを可能にし、よって前記閉鎖機構（７）を前記閉状態から前記開状態に切り替えることを可能にするようになっており、前記安全手段（１１）が、前記第１の係止部（１２）および前記第２の係止部（１３）が前記閉鎖機構の前記開状態の後に前記安全状態に可逆的に切り替わることを可能にするように更に構成されている、
チャイルドプルーフ容器（１）。
【請求項２】
前記容器（１）が、前記第１の係止部（１２）および前記第２の係止部（１３）を互いに係合解除することを可能にし、かつ前記閉鎖機構（７）を前記閉状態から前記開状態に切り替えることを可能にするために、少なくとも前記安全状態で前記容器（１）の前記スリット（１５）を通って少なくとも部分的に挿入されるように構成された開封手段（１４）を備え、特に、前記開封手段（１４）が、前記第１の係止部（１２）および前記第２の係止部（１３）を係合解除することを可能にするために、少なくとも前記安全状態で前記第１の係止部と前記第２の係止部との間で前記ハウジング（２）の内部に挿入されるように構成されている、請求項１に記載のチャイルドプルーフ容器。
【請求項３】
前記閉鎖機構（７）が、前記開封手段（１４）が前記第１の係止部（１２）と前記第２の係止部（１３）との間に介在するときにのみ、前記閉状態から前記開状態に切り替わるように構成されている、請求項１または２に記載のチャイルドプルーフ容器。
【請求項４】
前記第１の係止部（１２）が、前記安全状態で前記第２の係止部（１３）の少なくとも１つのそれぞれの切込み（１７）に対して当接するように構成された少なくとも１つの切込み（１６）を有し、前記第２の係止部（１３）の前記切込み（１７）が、座部（１９）を画定する少なくとも１つのフック（１８）を備え、前記座部（１９）の凹みが前記ハウジング（２）の側壁（４）、特に前記第２の係止部（１３）を直接支持する前記側壁と向かい合う前記ハウジング（２）の側壁に面し、前記安全手段（１１）の前記第１の係止部（１２）が、前記機構（７）の前記閉状態で前記第２の係止部（１３）の前記フック（１８）の前記座部（１９）の内部に安定的に係合するように構成され、随意により、前記第１の係止部（１２）の前記切込み（１６）が、座部（２０ａ）を画定する少なくとも１つのそれぞれのフック（２０）を備え、前記座部（２０ａ）の凹みが、前記安全状態で前記第２の係止部（１３）の前記フック（１８）の前記座部（１９）の前記凹みに面する、請求項１〜３のいずれか一項に記載のチャイルドプルーフ容器。
【請求項５】
前記容器（１）の前記スリット（１５）が、
前記閉鎖機構（７）によって支持され、特に、前記自由縁（６）および前記閉鎖機構（７）自体の前記挿入部（１０）に配置された少なくとも１つの切り欠き（１５ａ）、および／または
前記閉鎖機構（７）の前記挿入部（１０）と前記ハウジング（２）のうち前記第２の係止部（１３）を支持する前記側壁との間に存在するポート、
によって画定されている、請求項１〜４のいずれか一項に記載のチャイルドプルーフ容器。
【請求項６】
前記第２の係止部（１３）が、前記容器（１）の前記側壁（４）と実質的に平行に延び、特に、前記閉鎖機構（７）の前記閉状態で前記挿入部（１０）と向かい合う前記ハウジング（２）の前記側壁と平行に延びている、請求項１〜５のいずれか一項に記載のチャイルドプルーフ容器。
【請求項７】
前記第１の係止部（１２）が、前記挿入部（１０）に直接支持および一体で接合され、特に、前記第１の係止部（１２）が、前記挿入部（１０）に関して前記タブ（８）の前記閉鎖部（９）とは反対側に配置される、請求項１〜６のいずれか一項に記載のチャイルドプルーフ容器。
【請求項８】
前記第２の係止部（１３）が、前記ハウジング（２）の前記側壁（４）と係合し、特に、前記閉鎖機構（７）の前記閉状態で前記挿入部（１０）と向かい合う前記ハウジング（２）の前記側壁（４）と直接係合している、請求項１〜７のいずれか一項に記載のチャイルドプルーフ容器。
【請求項９】
前記開封手段（１４）が、前記スリット（１５）の内部に少なくとも部分的に挿入されるように構成された、多角形状、特に略正方形状もしくは矩形状または台形状を有する少なくとも１つの付属物（２６）から出っ張る把持部（３０）を有するシート要素を備え、随意により、前記付属物（２６）が、少なくとも前記安全状態で前記安全手段（１１）の前記第１の係止部（１２）と前記第２の係止部（１３）との間に介在するように構成されている、請求項１〜８のいずれか一項に記載のチャイルドプルーフ容器。
【請求項１０】
前記第２の係止部（１３）が、前記ハウジング（２）の前記内容積部（３）の完全に内部で延び、特に、前記第２の係止部（１３）が、前記ハウジング（２）の前記内容積部（３）の内部に完全に収容され、
前記挿入部（１０）が、前記閉鎖機構（７）の前記閉状態で前記ハウジング（２）の前記内容積部（３）の内部に完全に配置され、特に、前記第１の係止部（１２）が、前記閉鎖機構（７）の前記閉状態で前記ハウジング（２）の前記内容積部（３）の内部に完全に収容され、随意により、前記第１の係止部（１２）が、前記閉鎖機構（７）の前記閉状態で前記ハウジング（２）の前記内容積部（３）の内部に完全に配置され、前記ハウジング（２）の前記自由縁（６）から離間し、特に、前記第２の係止部（１３）と前記第１の係止部（１２）との間の係合が、前記ハウジング（２）の前記内容積部（３）の完全に内部で画定されている、
請求項１〜９のいずれか一項に記載のチャイルドプルーフ容器。
【請求項１１】
請求項１〜１０のいずれか一項に記載の容器を作製する方法であって、前記方法が少なくとも、
シート材料で作製された前記ハウジング（２）を用意するステップと、
前記ハウジング（２）の前記自由縁（６）で係合するシート材料で作製された前記閉鎖機構（７）を用意するステップであって、前記閉鎖機構（７）が前記容器（１）の前記閉状態および前記開状態を規定するように構成されている、ステップと、
前記第１の係止部（１２）および前記第２の係止部（１３）が形成されるシート材料で作製された前記安全手段（１１）を用意するステップであって、前記安全手段（１１）を用意する前記ステップが前記ハウジング（２）の内部に配置された前記第２の係止部（１３）を形成し、前記第１の係止部（１２）および前記第２の係止部（１３）が、前記閉鎖機構（７）の前記閉状態で互いに安定的に係合して安全状態を規定するように構成され、前記第１の係止部（１２）および前記第２の係止部（１３）が、前記安全状態で前記閉鎖機構（７）が前記閉状態から前記開状態に切り替わるのを防ぐように構成されている、ステップと、
少なくとも１つのスリット（１５）を作製するステップであって、前記スリット（１５）が、少なくとも前記安全状態で少なくとも１つの前記開封手段（１４）を挿入することを可能にするように構成され、前記開封手段が、前記第１の係止部（１２）および前記第２の係止部（１３）を互いに係合解除することを可能にし、よって前記閉鎖機構（７）を前記閉状態から前記開状態に切り替えることを可能にするようになっており、前記安全手段（１１）が、前記第１の係止部（１２）および前記第２の係止部（１３）が前記開状態の後に前記閉状態に可逆的に切り替わることを可能にするように更に構成されている、ステップと、
を含む、方法。
【請求項１２】
前記第１の係止部（１２）および前記第２の係止部（１３）を互いに係合解除することを可能にし、かつ前記閉鎖機構（７）を前記閉状態から前記開状態に切り替えることを可能にするために、少なくとも前記安全状態で前記容器（１）の前記スリット（１５）を少なくとも部分的に通って挿入されるように構成された前記開封手段（１４）を用意するステップを含む、請求項１１に記載の方法。
【発明の詳細な説明】
【技術分野】
【０００１】
本発明の目的は、チャイルドプルーフ容器およびその作製方法である。本発明の目的の容器は、安全上の理由から子供が容器を開封するのを禁止する必要性を有するすべての分野において用途を見出すことができ、例えば、本発明の目的の容器は、薬剤および化粧品の分野で有利な用途を見出すことができる。
【背景技術】
【０００２】
知られているように、チャイルドプルーフ型の容器は市販されており、換言すれば、子供によって開封されないように設計されている。これらの種類の容器は、５歳未満の大部分の子供によってほとんど開封可能ではないことからそのように規定される。この種の容器は、例えば、薬剤分野で有利な用途を見出しており、その分野では幼児が潜在的に有毒な薬物を摂取するのを防ぎ、それ故に偶発的中毒を防ぐことが重要である。チャイルドプルーフ安全機構を有する容器および包装紙は、家庭用薬品（例えば洗剤、脱脂剤および除菌剤）ならびに化粧品に更に広く使用されている。
【０００３】
このようなチャイルドプルーフ容器の第１の既知の種類は、複数の製品を収容するように定められたプラスチック材料のブリスターパックを内部に受容するようになっている箱型形状を有する紙材ハウジングを提供する。ハウジングは、長手方向の両側壁で、容器自体の対角に沿って更に配置される２つのスリットを有する。ブリスターパックは、略矩形状を有し、ハウジング内のそれぞれのスリットに入るようになっている２つの突出部を含み、ブリスターパックがハウジング内に受容される状態下で、突出部をスリットと係合することは、ブリスターパックが同ハウジングを引っ張ることによってのみ取り出されるのを防ぐ。ある人がハウジングからブリスターパックを取り出すことを望むとき、ハウジング自体の内部に向かって突出部を押すためにこの突出部に圧力をかけることが必要であり、このようにスリットの係合解除を引き起こし、この時点でブリスターパックをハウジングから取り出すことが可能になる。
【０００４】
第２の種類のチャイルドプルーフ容器は、プラスチック材料のブリスターパックを受容するようになっている箱形状を有する板紙のハウジングを更に含む。この第２の種類の容器でもまた、ハウジングは、容器の内部でブリスターパックを塞ぐことを可能にするためにこのブリスターパックと協働するように構成される。ハウジングにはハウジングからの係合解除を可能にし、それ故に容器を取り出すためにブリスターパックに作用する押しボタンとして成形した部分も設けられる。特に、押しボタン形の部分を押すことによって、かつ同時にハウジングの外側に向かってブリスターパックを引っ張ることによってブリスターパックを取り出すことが可能である。
【０００５】
上述の既知の容器は、容器を適切に把持し、取り扱う必要がある開封機構を有し、５歳未満の子供がそれを行うことをほとんど困難にしていない。
【０００６】
このような容器はブリスターパックへのアクセスを防ぐようになっている特定の開封機構を有し、このようにチャイルドプルーフ容器を規定するが、本出願人はこれらの容器に限界および欠点がないわけではないことに気付いている。
【０００７】
事実上、現在入手可能な容器は、ハウジングとブリスターパックとの協働による安全なクロージャを規定しておらず、この特徴はこのような容器を使用に関してほとんど適応性のあるものにしていない。事実上、チャイルドプルーフ安全機構を規定するために、ハウジングは、適切に設計したブリスターパックのみを受容することができ、したがってこの特定のハウジングのために作製される。したがって、ブリスターパックは、特定の製造方法で作製されなければならず、この方法はブリスターパックが標準的製造装置で製造されるのを防ぎ、これらの装置はチャイルドプルーフ容器を作製するために適切に設計および製作されなければならず、その結果、結果として生じる生産コストの増加、それ故に製品自体のコスト上昇がある。
【０００８】
既知の上述の容器のハウジングおよびブリスターパックは、製造および製品コストに更に悪影響を及ぼす多少複雑な構造を有することにも留意されたい。
【０００９】
発明の目的
したがって、本発明の目的は、前述の解決策の不都合および／または限界の少なくとも１つを実質的に解決することである。
【００１０】
本発明の第１の目的は、単純かつ小型構造を同時に保つことによって子供がアクセスするのを効果的に防ぐことができる容器を提供することからなる。本発明の更なる目的は、容器自体の数多くの開閉であっても、容器の完全性を保つことができる安定した構造を有するチャイルドプルーフ容器を提供することからなる。
【００１１】
さらに、本発明の目的は、極めて適応性のある構造を有するチャイルドプルーフ容器を提供することである。本発明の別の目的は、単純かつ費用対効果の良い構造を有する容器を提供することからなる。本発明の更なる目的は、容器の製造のために様々な材料を使用することを必要としない容器を作製することからなり、例えば、容器は紙材、随意により生分解性材料で作製することができる。
【００１２】
次に、本発明の目的は、容器を作製するために高速かつ極めて適応性のある方法を提供することであり、これはそれ故に製造コストを最小化することができる。特に、本発明の目的は、本発明の目的の容器を作製することに既存の設備を適合させるために標準型の容器を作製するのに使用された既存の設備を変更することを必要とせず、かつ包装紙自体を充填するために既存の包装設備を変更することを更に必要としない、容器を作製することである。
【００１３】
以下の説明でより良く現れるこれらおよび他の目的は、添付の特許請求の範囲および／または以下の態様の１つ以上に開示されるものに従って、容器およびそれを作製するための方法によって実質的に達成され、単独で、それらの任意の組み合わせで、添付の特許請求の範囲のいずれかとの組み合わせで、および／または以下に記載する更なる態様もしくは特徴のいずれかとの組み合わせで考えられる。
【発明の概要】
【００１４】
本発明の態様を以下に説明する。
第１の態様では、チャイルドプルーフ容器（１）であって、
少なくとも１つの製品を収容するように構成された内容積部（３）を画定するシート材料で作製されたハウジング（２）であって、ハウジング（２）が自由縁（６）によって境界が定められた少なくとも１つの通路開口部（５）を画定する所定の数の側壁（４）を有し、前記通路開口部（５）がハウジング（２）の内容積部（３）を外部環境と連通するように構成されている、ハウジング（２）と、
シート材料で作製され、自由縁（６）で係合し、かつハウジング（２）に対して特に回転によって可動である閉鎖機構（７）であって、閉鎖機構（７）が、機構（７）自体がハウジング（２）の内容積部（３）と外部環境との間の連通を妨げる少なくとも１つの閉状態を規定するように構成され、閉鎖機構（７）が、機構（７）自体が内容積部（３）と外部環境との間の連通を可能にする開状態を規定するように更に構成され、閉鎖機構（７）が少なくとも１つのタブ（８）を含み、タブ（８）が、ハウジング（２）の自由縁（６）と係合し、かつこのハウジングに対して特に回転によって可動である閉鎖部（９）を有し、タブ（８）が閉鎖機構（７）の閉状態で、ハウジング（２）の内容積部（３）の内部に挿入されるように構成された少なくとも１つの挿入部（１０）を更に有する、閉鎖機構（７）と、
閉鎖機構（７）のタブ（８）によって支持された少なくとも１つの係止部（１２）、及び
ハウジング（２）と係合し、かつ前記第１の係止部（１２）と協働するように構成された少なくとも１つの第２の係止部（１３）、
を含むシート材料で作製された少なくとも１つの安全手段（１１）であって、
第１の係止部（１２）および第２の係止部（１３）が安全状態を規定するために、閉鎖機構（７）の閉状態で互いに安定的に係合するように構成され、前記第１の係止部（１２）および前記第２の係止部（１３）が安全状態で、閉鎖機構（７）が閉状態から開状態に切り替わるのを防ぐように構成されている、少なくとも１つの安全手段（１１）と、を備え、
容器（１）が、少なくとも安全状態で少なくとも１つの開封手段（１４）を挿入することを可能にするように構成された少なくとも１つのスリット（１５）を含み、開封手段が、第１の係止部（１２）および第２の係止部（１３）を互いに係合解除することを可能にし、よって閉鎖機構（７）を閉状態から開状態に切り替えることを可能にするようになっており、安全手段（１１）が、第１の係止部（１２）および第２の係止部（１３）が閉鎖機構の開状態の後に安全状態に可逆的に切り替わることを可能にするように更に構成されている、
チャイルドプルーフ容器（１）が提供される。
【００１５】
態様１に記載の第２の態様では、ハウジング（２）は、紙シート材料で作製されている。
【００１６】
態様１または２に記載の第３の態様では、閉鎖機構（７）は、紙シート材料で作製されている。
【００１７】
態様１、２または３に記載の第４の態様では、安全デバイス（１１）は、紙シート材料で作製されている。
【００１８】
態様１〜４のいずれか一態様に記載の第５の態様では、容器（１）は、第１の係止部（１２）および第２の係止部（１３）を互いに係合解除することを可能にするために、かつ閉鎖機構（７）が閉状態から開状態に切り替わることを可能にするために、少なくとも安全状態で容器（１）のスリット（１５）を少なくとも部分的に通って挿入されるように構成された開封手段（１４）を含む。
【００１９】
態様１〜５のいずれか一態様に記載の第６の態様では、開封手段（１４）は、係合解除を可能にするために、少なくとも安全状態で第１の係止部（１２）と第２の係止部（１３）との間でハウジング（２）の内部に挿入されるように構成されている。
【００２０】
態様１〜６のいずれか一態様に記載の第７の態様では、閉鎖機構（７）は、開封手段（１４）が前記第１の係止部（１２）と前記第２の係止部（１３）との間に介在するときだけ、閉状態から開状態に切り替わるように構成されている。
【００２１】
態様１〜７のいずれか一態様に記載の第８の態様では、閉鎖機構（７）は、閉状態から開状態に切り替わるとき、開封手段（１４）と一体的に移動するように構成されている。
【００２２】
態様１〜８のいずれか一態様に記載の第９の態様では、第１の係止部（１２）は、安全状態で、第２の係止部（１３）の少なくとも１つのそれぞれの切込み（１７）に対して当接するように構成された少なくとも１つの切込み（１６）を有する。
【００２３】
第９の態様に記載の第１０の態様では、第２の係止部（１３）の切込み（１７）は、座部（１９）を画定する少なくとも１つのフック（１８）を含み、座部（１９）の凹みがハウジング（２）の側壁（４）に面し、特に前記第２の係止部（１３）を直接支持する側壁と向かい合うハウジング（２）の側壁に面する。
【００２４】
態様１０に記載の第１１の態様では、安全手段（１１）の第１の係止部（１２）は、機構（７）の閉状態で第２の係止部（１３）のフック（１８）の座部（１９）の内部に安定的に係合するように構成されている。
【００２５】
態様１０または１１に記載の第１２の態様では、第１の係止部（１２）の切込み（１６）は、座部（２０ａ）を画定する少なくとも１つのそれぞれのフック（２０）を含み、座部（２０ａ）の凹みが安全状態で、第２の係止部（１３）のフック（１８）の座部（１９）の凹みに面する。
【００２６】
態様９〜１２のいずれか一態様に記載の第１３の態様では、ハウジング（２）によって支持された第２の係止部（１３）の切込み（１７）は、識別可能であり、ハウジング（２）の自由縁（６）から離間した把持縁（１７ａ）を含む。
【００２７】
態様１２または１３に記載の第１４の態様では、第１の係止部（１２）は、係止部（１２）に関して互いに反対側に配置された２つのフック（２０）を含み、特に前記フック（２０）はそれぞれの座部（２０ａ）を有し、座部（２０ａ）の凹みは互いに背を向ける。
【００２８】
態様１〜１４のいずれか一態様に記載の第１５の態様では、スリット（１５）は、ハウジング（２）の自由縁（６）に配置される。
【００２９】
態様１〜１５のいずれか一態様に記載の第１６の態様では、容器（１）のスリット（１５）は、閉鎖機構（７）によって支持され、特に、自由縁（６）および閉鎖機構（７）自体の挿入部（１０）に配置された少なくとも１つの切り欠き（１５ａ）、ならびに／または
閉鎖機構（７）の挿入部（１０）とハウジング（２）のうち前記第２の係止部（１３）を支持する側壁との間に存在する開孔、
によって画定される。
【００３０】
態様１〜１６のいずれか一態様に記載の第１７の態様では、スリット（１５）は、閉鎖機構（７）の閉鎖部（９）およびハウジング（２）の自由縁（６）でこの閉鎖機構の挿入部（１）に少なくとも画定された少なくとも１つの切り欠き（１５ａ）、特に複数の切り欠き（１５ａ）を含む。
【００３１】
態様１７に記載の第１８の態様では、スリット（１５）は、互いに離間し、かつ挿入部（１０）に少なくとも部分的に画定された２つの切り欠き（１５ａ）を含み、前記挿入部（１０）は、開封手段（１４）がハウジング（２）の内容積部（３）に完全に入るのを防ぐように構成されている、スリット（１５）の２つの切り欠きの間に介在した当接縁（２１）を含む。
【００３２】
態様１〜１８のいずれか一態様に記載の第１９の態様では、第２の係止部（１３）は、容器（１）の側壁（４）と実質的に平行に延び、特に閉鎖機構（７）の閉状態で、挿入部（１０）と向かい合うハウジング（２）の側壁と平行に延びる。
【００３３】
態様１〜１９のいずれか一態様に記載の第２０の態様では、第１の係止部（１２）は、挿入部（１０）によって直接支持され、特に第１の係止部（１２）は、挿入部（１０）に関してタブ（８）の閉鎖部（９）とは反対側に配置される。
【００３４】
態様２０に記載の第２１の態様では、第１の係止部（１２）は、挿入部（１０）に一体で接合される。
【００３５】
態様１〜２１のいずれか一態様に記載の第２２の態様では、第２の係止部（１３）は、ハウジング（２）の側壁（４）に係合し、特に閉鎖機構（７）の閉状態で、挿入部（１０）と向かい合うハウジング（２）の側壁に直接係合する。
【００３６】
態様１〜２２のいずれか一態様に記載の第２３の態様では、ハウジング（２）は、自由縁（６）で、かつその自由縁と連接して、開放輪郭を有し、かつ自由縁（６）自体のくぼみを画定する凹部（２３）を含み、凹部（２３）は、閉鎖機構（７）の閉状態下で挿入部（１０）の少なくとも一部を確認および把持することを可能にするように構成されている。
【００３７】
態様２３に記載の第２４の態様では、凹部（２３）は、略「Ｃ」開放形状を有し、この凹みが製品ハウジング（２）の内容積部（３）から背を向ける。
【００３８】
態様１〜２４のいずれか一態様に記載の第２５の態様では、閉鎖機構（７）は、ハウジング（２）の自由縁（６）に係合し、かつ機構（７）の閉状態で、前記閉鎖部（９）と接触させられるように構成された１つ以上の当接部（２４）を含む。
【００３９】
態様１〜２５のいずれか一態様に記載の第２６の態様では、挿入部（１０）は、ハウジング（２）の側壁（４）およびハウジング（２）の内容積部（３）にそれぞれ面した第１の表面（１０ａ）と第２の表面（１０ｂ）との間に延在するシート要素を含む。
【００４０】
態様２６に記載の第２７の態様では、安全手段（１１）の第１の係止部（１２）は、挿入部（１０）と連接して出っ張り、かつそれぞれの第１の表面（１２ａ）と第２の表面（１２ｂ）との間に延在するシート要素を含み、挿入部（１０）の第１の表面（１０ａ）は第１の係止部（１２）の第１の表面（１２ａ）から途切れることなく延在し、挿入部（１０）の第２の表面（１０ｂ）は第１の係止部（１２）の第２の表面（１２ｂ）から途切れることなく延在する。
【００４１】
態様１〜２７のいずれか一態様に記載の第２８の態様では、安全手段（１１）の第２の係止部（１３）は、第１の表面（１３ａ）と第２の表面（１３ｂ）との間に延在するシート要素を含み、前記係止部（１３）の前記第１の表面（１３ａ）は、ハウジング（２）の内面に直接連結される。
【００４２】
態様２８に記載の第２９の態様では、挿入部（１０）の第２の表面（１０ｂ）は、閉鎖機構（７）の閉状態下で、第２の係止部（１３）の第１の表面（１３ａ）と向かい合う。
【００４３】
態様１〜２９のいずれか一態様に記載の第３０の態様では、容器（１）は、それぞれの自由縁（６）によって区切られ、かつハウジング（２）自体に関して互いに反対側に２つの通路開口部（５）を含む。
【００４４】
態様３０に記載の第３１の態様では、容器（１）は、前記通路開口部（５）の各々で、閉鎖機構（７）および安全手段（１１）を含む。
【００４５】
態様３１に記載の第３２の態様では、容器（１）は、互いに分離され、かつ前記通路開口部（５）の各々にそれぞれ配置されたそれぞれの閉鎖機構（７）の第１の係止部（１２）および第２の係止部（１３）を係合解除するように構成された第１および第２の開封手段（１４）を含む。
【００４６】
態様１〜３２のいずれか一態様に記載の第３３の態様では、容器（１）は、ハウジング（２）に外部係合し、かつ開封手段（１４）を収容受容するように構成された少なくとも１つのケース（２５）を含む。
【００４７】
態様３３に記載の第３４の態様では、ケース（２５）は、ハウジング（２）に外部係合し、かつ開封手段（１４）を受容および支持するようになっている受容座部を画定するように構成された紙材で作製された少なくとも１つのシートを含む。
【００４８】
態様１〜３４のいずれか一態様に記載の第３５の態様では、開封手段（１４）は、スリット（１５）の内部に少なくとも部分的に挿入されるように構成された、多角形状、特に略正方形もしくは矩形または台形状を有する少なくとも１つの付属物（２６）が突出する、把持部（３０）を有するシート要素を含む。
【００４９】
態様３５に記載の第３６の態様では、開封手段（１４）は、略「Ｃ」、「Ｈ」、「Ａ」または「Ｖ」形状を有する。
【００５０】
態様３５または３６に記載の第３７の態様では、開封手段（１４）は、略「Ｃ」形状のシート要素を画定するために、２つの付属物（２６）および前記２つの付属物（２６）の間に画定された当接縁（２７）を含み、前記付属物（２６）は、第１の係止部（１２）および第２の係止部（１３）を係合解除するためにスリット（１５）のそれぞれの切り欠きの内部に挿入されるように構成され、当接縁（２７）は、開封手段（１４）がハウジング（２）の内容積部（３）に完全に入るのを防ぐために閉鎖機構（７）の当接縁（２７）に対して当接するように構成されている。
【００５１】
態様１〜３７のいずれか一態様に記載の第３８の態様では、開封手段（１４）は、シート材料で作製されている。
【００５２】
態様３８に記載の第３９の態様では、開封手段（１４）は、紙シート材料で作製され、特に紙シート材料で完全に作製されている。
【００５３】
態様３９に記載の第４０の態様では、開封手段（１４）の紙シート材料は、１００〜５００ｇ／ｍ２に含まれ、特に２００〜３００ｇ／ｍ２に含まれる坪量を有する。
【００５４】
態様２〜４０のいずれか一態様に記載の第４１の態様では、ハウジング（２）の紙シート材料は、１００〜５００ｇ／ｍ２に含まれ、特に２００〜３００ｇ／ｍ２に含まれる坪量を有する。
【００５５】
態様３〜４１のいずれか一態様に記載の第４２の態様では、閉鎖機構（７）の紙シート材料は、１００〜５００ｇ／ｍ２に含まれ、特に２００〜３００ｇ／ｍ２に含まれる坪量を有する。
【００５６】
態様４〜４２のいずれか一態様に記載の第４３の態様では、安全手段（１１）の紙シート材料は、１００〜５００ｇ／ｍ２に含まれ、特に２００〜３００ｇ／ｍ２に含まれる坪量を有する。
【００５７】
態様１〜４３のいずれか一態様に記載の第４４の態様では、容器（１）は、単一の紙材のシートを折り曲げることによって作製されている。
【００５８】
態様４４に記載の第４５の態様では、前記単一の紙材のシートは、１００〜５００ｇ／ｍ２に含まれ、特に２００〜３００ｇ／ｍ２に含まれる坪量を有する。
【００５９】
態様１〜４５のいずれか一態様に記載の第４６の態様では、紙シート材料は、プラスチック材料の内側および／または外側コーティングを含む。
【００６０】
態様１〜４６のいずれか一態様に記載の第４７の態様では、第２の係止部（１３）は、ハウジング（２）の内容積部（３）の完全に内部で延び、特に第２の係止部（１３）は、ハウジング（２）の内容積部（３）の内部に完全に受容される。
【００６１】
態様１〜４７のいずれか一態様に記載の第４８の態様では、閉鎖機構（７）の挿入部（１０）は、閉状態下で、ハウジング（２）の内容積部（３）の内部に配置される。
【００６２】
態様１〜４８のいずれか一態様に記載の第４９の態様では、第１の係止部（１２）は、閉鎖機構（７）の閉状態下で、ハウジング（２）の内容積部（３）の内部に完全に受容される。
【００６３】
態様４９に記載の第５０の態様では、第１の係止部（１２）は、閉鎖機構（７）の閉状態下で、ハウジング（２）の自由縁（６）から離間する。
【００６４】
態様１〜５０のいずれか一態様に記載の第５１の態様では、第２の係止部（１３）と第１の係止部（１２）との間の係合は、ハウジング（２）の内容積部（３）の内部に完全に画定される。
【００６５】
態様１〜５１のいずれか一態様に記載の第５２の態様では、閉鎖機構（７）の第１の係止部（１２）および第２の係止部（１３）は、ハウジング（２）の内容積部（３）の内部にのみ互いに係合するように構成されている。
【００６６】
態様１〜５２のいずれか一態様に記載の第５３の態様では、第１の係止部（１２）および第２の係止部（１３）は、閉鎖機構の開状態の後に安全状態を規定するために、互いに安定的に係合するように構成されている。
【００６７】
態様１〜５３のいずれか一態様に記載の第５４の態様では、第１の係止部（１２）および第２の係止部（１３）は、閉鎖機構（７）の各開状態の後に係合解除状態から安全状態に可逆的に切りわるように構成されている。
【００６８】
態様１〜５４のいずれか一態様に記載の第５５の態様では、安全手段（１１）は、着脱自在な部分を有さず、この機構は、閉鎖機構（７）に一体で安定的に接合される。
【００６９】
第５６の態様では、態様１〜５５のいずれか一態様に記載の容器（１）を作製するための方法が提供される。
【００７０】
第５７の態様では、態様１〜５６のいずれか一態様に記載の容器を作製するための方法が提供され、前記方法は少なくとも、
シート材料で作製されたハウジング（２）を用意するステップと、
ハウジング（２）の自由縁（６）で係合するシート材料で作製された閉鎖機構（７）を用意するステップであって、閉鎖機構（７）が容器（１）の閉状態および開状態を規定するように構成されている、ステップと、
第１の係止部（１２）および第２の係止部（１３）が形成されるシート材料で作製された安全手段（１１）を用意するステップであって、安全手段（１１）を用意するステップがハウジング（２）の内部に配置される第２の係止部（１３）を形成し、第１の係止部（１２）および第２の係止部（１３）が安全状態を規定するために、閉鎖機構（７）の閉状態下で互いに安定的に係合するように構成され、前記第１の係止部（１２）および前記第２の係止部（１３）が安全状態下で、閉鎖機構（７）が閉状態から開状態に切り替わるのを防ぐように構成されている、ステップと、
少なくとも１つのスリット（１５）を作製するステップであって、スリットが、少なくとも安全状態で少なくとも１つの開封手段（１４）を挿入することを可能にするように構成され、開封手段が、第１の係止部（１２）および第２の係止部（１３）を互いに係合解除することを可能にし、よって閉鎖機構（７）を閉状態から開状態に切り替えることを可能にするようになっており、安全手段（１１）が、第１の係止部（１２）および第２の係止部（１３）が閉鎖機構（７）の開状態の後に安全状態に可逆的に切り替わることを可能にするように構成されている、ステップと、
を含む。
【００７１】
態様５６または５７に記載の第５８の態様では、ハウジング（２）は、紙シート材料で作製されている。
【００７２】
態様５６、５７または５８に記載の第５９の態様では、閉鎖機構（７）は、紙シート材料で作製されている。
【００７３】
態様５６〜５９のいずれか一態様に記載の第６０の態様では、安全手段（１１）は、紙シート材料で作製されている。
【００７４】
態様５６〜６０のいずれか一態様に記載の第６１の態様では、本方法は、第１の係止部（１２）および第２の係止部（１３）を互いに係合解除することを可能にし、かつ閉鎖機構（７）が閉状態から開状態に切り替わることを可能にするために、少なくとも安全状態下で、容器（１）のスリット（１５）を少なくとも部分的に通って挿入されるように構成されたシート材料で作製された開封手段（１４）を用意するステップを含む。
【００７５】
態様５６〜６１のいずれか一態様に記載の第６２の態様では、ハウジング（２）を用意するステップは少なくとも、
中央連結部（５３）によって相互連結された少なくとも１つの第１の部分（５２）および１つの第２の部分（５４）を含む第１のシート（５１）を用意するサブステップであって、第１のシート（５１）が少なくとも１つの第１の側方連結部（５５）および１つの第２の側方連結部（５６）を更に含み、第１の部分（５２）が第１の側方連結部（５５）と中央連結部（５３）との間に介在し、第２の部分（５４）が中央連結部（５３）と第２の側方連結部（５６）との間に介在し、前記部分（５２、５３、５４、５５、５６）の各々が少なくとも２つの長手方向の両縁部および２つの両端縁部を含み、前記部分（５２、５４）、中央連結部（５３）、および前記側方連結部（５５、５６）が長手方向縁部に沿って接合され、単一の連結方向に沿って整列される、サブステップと、
前記長手方向縁部に沿って第１のシート（５１）を折り曲げるサブステップと、
ハウジング（２）の内容積部（３）を形成するために側方連結部（５５、５６）を接合するサブステップと、
を含む。
【００７６】
態様６２に記載の第６３の態様では、閉鎖機構（７）を用意するステップは、
第１の部分（５２）の端縁部に連結された少なくとも１つの第２のシート（５７）を用意するサブステップであって、第２のシート（５７）が互いに一体で接合された第１の部分（５８）および第２の部分（５９）を含み、第２のシート（５７）の第１の部分（５８）が第１のシート（５１）の第１の部分（５２）と第２のシート（５７）の第２の部分（５９）との間に介在する、サブステップと、
閉鎖機構（７）の閉鎖部（９）および挿入部（１０）をそれぞれ形成するために第２のシート（５７）の前記第１の部分（５８）および前記第２の部分（５９）を折り曲げるサブステップと、
を含む。
【００７７】
態様６３に記載の第６４の態様では、安全手段（１１）を用意するステップは少なくとも、
第２の部分（５４）の端縁部に連結された第３のシート（６０）を用意するサブステップであって、第３のシート（６０）が第１の部分（６１）および第２の部分（６２）を含む、サブステップと、
前記第３のシート（６０）を折り曲げるサブステップと、
前記第３のシート（６０）を第１のシート（５１）の前記第２の部分（５４）に接合するサブステップと、
前記第２の部分（６２）に対して第３のシート（６０）の前記第２の部分（６１）を折り曲げて、その結果、前記第１の部分が安全手段（１１）の第２の係止部（１３）を形成するようにするサブステップと、
を含む。
【００７８】
態様６３または６４に記載の第６５の態様では、安全手段（１１）を用意するステップは、
第２のシート（５７）の第２の部分（５９）に一体で接合された少なくとも１つの部分（６４）を含み、かつ安全手段（１１）の第１の係止部（１２）を形成するように構成された第４のシート（６３）を用意するサブステップを更に含む。
【００７９】
態様６２〜６５のいずれか一態様に記載の第６６の態様では、方法は少なくとも、
中央連結部（５３）および第２の側方連結部（５６）の少なくとも１つに連結された部分（６６）を含む少なくとも１つの第５のシート（６５）を用意するステップと、
当接部（２４）を形成するために第５のシート（６５）の部分（６６）を折り曲げるステップと、
を更に含む。
【００８０】
態様５６〜６６のいずれか一態様に記載の第６７の態様では、開封手段（１４）を用意するステップは少なくとも、
少なくとも１つの第６のシート（６７）を用意するサブステップと、
少なくとも１つの付属物（２６）が突出する少なくとも１つの把持部（３０）を含む単一の部分（６８）を画定するために前記第６のシート（６７）を成形するサブステップと、
を含む。
【００８１】
態様６７に記載の第６８の態様では、第６のシート（６７）は、第１のシートの第１の側方連結部（５５）および／または第２の側方連結部（５６）に一体で接合される。
【００８２】
態様６４〜６８のいずれか一態様に記載の第６９の態様では、第２の係止部（１３）を形成するために第３のシート（６０）を第１のシート（５１）の第２の部分（５４）に接合することは、第３のシート（６０）の第２の部分（６２）を第１のシート（５１）の第２の部分（５４）に糊で貼るサブステップを含む。
【００８３】
態様６２〜６９のいずれか一態様に記載の第７０の態様では、前記側方連結部（５５、５６）を接合することは、これらの側方連結部を糊で貼るサブステップを含む。
【００８４】
態様６２〜７０のいずれか一態様に記載の第７１の態様では、第１のシート（５１）は、少なくとも部分的に、特に完全に紙材で作製されている。
【００８５】
態様６６に記載の第７２の態様では、第１のシート（５１）は、１００〜５００ｇ／ｍ２に含まれ、特に３００〜４００ｇ／ｍ２に含まれる坪量を有する。
【００８６】
態様６３〜７２のいずれか一態様に記載の第７３の態様では、第２のシート（５７）は、少なくとも部分的に、特に完全に紙材で作製されている。
【００８７】
態様７３に記載の第７４の態様では、第２のシート（５７）は、１００〜５００ｇ／ｍ２に含まれ、特に３００〜４００ｇ／ｍ２に含まれる坪量を有する。
【００８８】
態様６４〜７４のいずれか一態様に記載の第７５の態様では、第３のシート（６０）は、少なくとも部分的に、特に完全に紙材で作製されている。
【００８９】
態様７５に記載の第７６の態様では、第３のシート（６０）は、１００〜５００ｇ／ｍ２に含まれ、特に３００〜４００ｇ／ｍ２に含まれる坪量を有する。
【００９０】
態様６５〜７６のいずれか一態様に記載の第７７の態様では、第４のシート（６３）は、少なくとも部分的に、特に完全に紙材で作製されている。
【００９１】
態様７７に記載の第７８の態様では、第４のシート（６３）は、１００〜５００ｇ／ｍ２に含まれ、特に３００〜４００ｇ／ｍ２に含まれる坪量を有する。
【００９２】
態様６６〜７８のいずれか一態様に記載の第７９の態様では、第５のシート（６５）は、少なくとも部分的に、特に完全に紙材で作製されている。
【００９３】
態様７９に記載の第８０の態様では、第５のシート（６５）は、１００〜５００ｇ／ｍ２に含まれ、特に３００〜４００ｇ／ｍ２に含まれる坪量を有する。
【００９４】
態様６７〜８０のいずれか一態様に記載の第８１の態様では、第６のシート（６７）は、少なくとも部分的に、特に完全に紙材で作製されている。
【００９５】
態様８１に記載の第８２の態様では、第６のシート（６７）は、１００〜５００ｇ／ｍ２に含まれ、特に３００〜４００ｇ／ｍ２に含まれる坪量を有する。
【００９６】
態様６６〜８２のいずれか一態様に記載の第８３の態様では、第１のシート５１、第２のシート５７、第３のシート６０、第４のシート６３、第５のシート６５は、単一の予備成形シート（５０）を形成するために一体で接合される。
【００９７】
態様６６〜８３のいずれか一態様に記載の第８４の態様では、第１のシート５１、第２のシート５７、第３のシート６０、第４のシート６３、第５のシート６５、および第６のシート６７は、単一の予備成形シート（５０）を形成するために一体で接合される。
【００９８】
態様８３または８４に記載の第８５の態様では、予備成形シート（５０）は、少なくとも部分的に、特に完全に紙材で作製される。
【００９９】
態様８５に記載の第８６の態様では、予備成形シート（５０）は、１００〜５００ｇ／ｍ２に含まれ、特に３００〜４００ｇ／ｍ２に含まれる坪量を有する。
【０１００】
態様５６〜８６のいずれか一態様に記載の第８７の態様では、本方法は、コーティングを画定するために容器（１）の内面および／または外面の少なくとも一部にプラスチック材料の膜を提供する少なくとも１つのサブステップを含む。
【０１０１】
態様８７に記載の第８８の態様では、予備成形シート（５０）は、容器（１）の内面および外面をそれぞれ画定するようになっている第１の一般的な展開表面と第２の一般的な展開表面との間に延在し、方法は、予備成形シート（５０）の第１の一般的な展開表面および／または第２の一般的な展開表面の少なくとも一部にプラスチック材料の膜と係合するステップを含む。
【０１０２】
態様６２〜８８のいずれか一態様に記載の第８９の態様では少なくとも、
それぞれの長手方向縁部に沿って互いに接合されたそれぞれの部分（７３、７４）を含む第７のシート（７１）および第８のシート（７２）を用意するステップであって、第７のシート（７１）が第１のシート（５１）の第２の側方連結部（５６）に係合し、第８のシート（７２）が第７のシート（７１）の部分（７３）に係合する、ステップと、
それぞれの長手方向縁部に沿って第７のシート（７１）および第８のシート（７２）の部分（７３、７４）を折り曲げるステップと、
ケース（２５）を画定するために第７のシート（７１）および第８のシート（７２）の部分（７３、７４）を横周縁部に沿って安定的に接合するステップと、
を更に含む。
【０１０３】
態様８９に記載の第９０の態様では、第７のシート（７１）は、第１のシート（５１）の第２の側方連結部（５６）に一体で接合される。
【０１０４】
態様８９または９０に記載の第９１の態様では、第６のシート（６７）は、第７のシート（７１）と第８のシート（７２）との間に画定される。
【０１０５】
態様６３〜９１のいずれか一態様に記載の第９２の態様では、第２のシート（５７）を用意するステップは、前記スリット（１５）を画定するために少なくとも１つの切り欠き（１５ａ）を作製することを含む。
【０１０６】
態様９２に記載の第９３の態様では、切り欠き（１５ａ）は、第２のシート（５７）の第１の部分（５８）および／または第２の部分（５９）に作製される。
【０１０７】
態様９２または９３に記載の第９４の態様では、切り欠き（１５ａ）は、第２のシート（５７）の第１の部分（５８）と第２の部分（５９）との間の区切り横縁部に作製され、スリット（１５）は、前記開封手段（１４）がそれを通って少なくとも部分的に入るように構成されている。
【０１０８】
示唆的かつそれ故に非限定的な形でのみ付与した添付図面を参照して、以下に本発明のいくつかの実施形態およびいくつかの態様を説明する。
【図面の簡単な説明】
【０１０９】
【図１】本発明による容器を作製するための第１のブランクを概略的に示す。
【図２】本発明による容器を作製するための図１のブランクを折り曲げるステップを概略的に示す。
【図３】開状態での本発明による容器を示す。
【図４】容器の閉状態中の本発明による容器を示す。
【図５】図４の容器の断面図である。
【図６】閉状態で配置された本発明による容器の切り欠きの詳細な斜視図である。
【図７】閉状態で配置された本発明による容器の斜視図である。
【図８】容器の開状態中の本発明の目的の容器の切り欠きの詳細図である。
【図９】容器の開状態中の本発明による容器の一形態の更なる概略図である。
【図１０】容器の開状態中の本発明による容器の別の形態の更なる概略図である。
【図１１】開状態で配置された本発明による容器の斜視図である。
【図１２】本発明の目的の容器の上面詳細図である。
【図１３】本発明による容器の変形実施形態の斜視図である。
【図１４】容器の開状態の間の図１３の容器の一形態の概略図である。
【図１５】容器の開状態の間の図１３の容器の別の形態の概略図である。
【図１６】容器の開状態の間の図１３の容器の更に別の形態の概略図である。
【図１７】図１３の容器１の上面詳細図である。
【図１８】本発明による容器を作製するための第２のブランクを概略的に示す。
【図１９】本発明による容器を作製するための第３のブランクを概略的に示す。
【図２０】図１９のブランクから作製され、保管型の押しつぶした状態に配置された容器を表す。
【図２１】本発明による容器を作製するための第４のブランクを概略的に示す。
【図２２】図２１のブランクで作製され、保管型の破押しつぶした状態に配置された容器を表す。
【０１１０】
材料および規定
図面は縮尺なしの図によって本発明の目的を示すことができ、したがって本発明の目的との関連で図面に示した部品および構成要素は、概略図のみを示すことができる。
【０１１１】
その代わりに、「製品」という用語は、任意の種類の物品または物品の複合物を意味する。例えば、製品は、固体、液体またはゲル状態、換言すれば前述の集合状態の２つ以上の状態での薬物または薬剤であり得る。さらに、製品は、複数の物品を受容する包装紙、例えばブリスターパックを意味することができる。
【０１１２】
容器１は、紙シート材料で少なくとも部分的に作製することができる。紙材という用語は、紙または板紙を意味し、具体的には、容器を作製するために使用可能なシート材料は、１００〜５００ｇ／ｍ２に含まれ、特に２００〜４００ｇ／ｍ２に含まれる坪量を有することができる。関連の紙材は、第１の一般的な展開表面と第２の一般的な展開表面との間に延在する。容器を作製するために使用されるシート紙材は、この変形実施形態では、第１の一般的な展開表面および／または第２の一般的な展開表面の少なくとも一部に対して、その目的が容器を強化することからなるプラスチック材料、例えば膜のコーティングによって覆うことができる。容器の外面を覆うためにコーティングがなされるとき、これは、この容器の構成要素を作製する紙材の結果として生じる変形による容器の弱化かつ構造損失を避けるのに有用な水および／または湿気バリアを規定するために更に使用することができる。好適だが限定的ではない形で、コーティングは、容器を画定する紙材の片側または両側（内側および／または外側）に押出コーティングを含むことができ、その値は、例えばコーティング材の（換言すればポリエチレンの）１０〜５０μｍに及ぶことができる。コーティング用のプラスチック材料は、例えばＬＤＰＥ、ＨＤＰＥ、ＰＰ、ＰＥの材料から選択することができる。
【発明を実施するための形態】
【０１１３】
容器
１は一般に、チャイルドプルーフ容器を示す。特に、容器１は、以下に具体的に記載するクロージャの種類を含み、決定した状態下でのみ容器１自体を開封することが可能となる。このようなクロージャは、子供が容器自体を開封することができないようにするために、子供を考慮することによって設計および考案される。
【０１１４】
本発明の目的の容器１は、様々な分野での用途を見出すことができ、これは受容される製品の性質に基づいて、例えば安全上の理由から子供による開封を防ぐことを必要とする。例えば、容器１は、薬剤および化粧品の分野で有利な用途を見出すことができる。
【０１１５】
容器１は、例えばブリスターパックなどの製品を収容するように構成された内容積部３を画定するシート材料で作製された少なくとも１つのハウジング２を含む。ハウジング２は、製品を収容するようになっている区画を実質的に表す。より具体的には、ハウジング２は、自由縁６によって境界が定められた少なくとも１つの通路開口部５を画定する所定の数の側壁４を含み、通路開口部５は、外部環境とハウジング２の内容積部３を連通するように構成される。添付図面は、非限定的な形で、ハウジング２自体に関して互いに反対側に２つの通路開口部５を有するハウジング２の配置を示し、その結果、この通路開口部は前記壁４によって横方向に区切られ、かつ長手方向の端部で開封した管路または管を実質的に画定することができる。しかし、例えば、単一の通路開口部５または２つを超える数の開口部５を有するハウジング２を作製する可能性が排除されることはない（これらの状態は添付図面で示していない）。
【０１１６】
添付図面は、ハウジング２の好ましいが非限定的な配置を示しており、これは矩形の角柱形状（矩形状を有する平坦な側壁４）を有する。しかし、異なる形状、例えば正方形、台形、または円筒形状を有するハウジング２を作製する可能性が排除されることはない。明白であるように、ハウジング２は、非限定的な形で、一般的な展開方向に実質的に沿って延在し、同ハウジングの長さおよび幅未満の厚さを有する。ハウジング２は、各製品の横断最大サイズを超える最小サイズ、この場合、厚さを有するように構成され、ハウジング２の最小サイズは、非限定的な形で、１０ｍｍを超える（この厚さは変化する可能性があり、受容／支持される製品または数量に基づいて適切にサイズ決めされ得る）。本発明は、小型の容器を提供し、このハウジング２は、実質的に２０，０００ｍｍ３を超え、特に４０，０００〜２００，０００ｍｍ３に含まれる内容積部３を画定する。しかし、本発明の目的の容器１は、中型の製品を包装するのに使用することができ、このような状態下で、ハウジング２は、５００，０００ｍｍ３を超え、特に８００，０００〜１，４００，０００ｍｍ３に含まれる内容積部３を有することができる。しかし、大型の製品を包装するために本発明の目的の容器１を使用する可能性が排除されることはなく、このような状態下で、ハウジング２は、上記の内容積部を超える、例えば１０，０００ｍｍ３を超える内容積部３を、いずれにしても非限定的な形で有する。
【０１１７】
材料に関して、ハウジング２は、好ましいが非限定的な形で、紙シート材料で作製することができ、例えば折り曲げることによって得ることができる。しかし、少なくとも部分的にプラスチックシート材料または金属シートでハウジング２および特に容器１全体を作製する可能性が排除されることはない。
【０１１８】
添付図面で明白であるように、容器１は、シート材料で作製され、自由縁６で係合し、かつハウジング２に対して特に回転によって可動である少なくとも１つの閉鎖機構７を更に含む。具体的には、閉鎖機構７は、機構７自体がハウジング２の内容積部３と外部環境との間での連通を防ぐ少なくとも１つの閉状態（例えば、図７参照）を規定するように構成され、閉鎖機構７は、機構７自体が内容積部３と外部環境との間の連通を可能にする少なくとも１つの開状態（例えば、図１１参照）を規定するように更に構成される。閉鎖機構７の閉状態は、容器１の安全状態を実質的に規定する。安全状態下で、容器１は、閉状態から開状態に切り替えないように構成される。事実上、機構７は実質的に、内容積部３へのアクセスを制御するためにハウジング２と協働するようになっている蓋である。容器１は、ハウジング２の各通路開口部に対する閉鎖機構７を含むのが有効である。添付図面は、非限定的な形で、２つの通路開口部５を有する容器１の配置を示し、このような状態下で、容器１は、ハウジング２のそれぞれの自由縁６に係合した２つの閉鎖機構７を有し、これらの機構７は、ハウジング自体に関して互いに反対側に配置される。好適だが非限定的な形で、閉鎖機構７は、ハウジング２に、特に自由縁６に一体で接合され、少なくとも閉状態と開状態との間でこの自由縁を中心に回転可動である。
【０１１９】
より具体的には、閉鎖機構７は、ハウジング２の自由縁６に直接係合および一体で接合された閉鎖部９を有する少なくとも１つのタブ８を含み、閉鎖部９は、機構７自体の閉状態下で開口部５を通過するのを防ぐように構成されたタブ８の構成要素を表す。添付図面で明白であるように、閉鎖部９は、開口部５の自由縁６に対向形状であるシート材料で作製された平坦な本体を実質的に含む。添付図面は、自由縁６に完全に対向状である矩形形状を有する閉鎖部９の好ましい配置を概略的に示す。
【０１２０】
さらに、タブ８は、機構７の閉状態下でハウジング２の内容積部３の内部に挿入されるように構成された少なくとも１つの挿入部１０を有する。挿入部１０は、閉鎖部９に一体で接合され、ハウジング２に対向してこの閉鎖部から突出し、挿入部１０は、機構７の閉状態下でハウジング２の内部に挿入されるようになっている閉鎖部９の伸長を実質的に表す。特に、閉鎖機構７の閉状態下で、挿入部１０は、ハウジング２の内容積部３の内部に完全に位置決めされる。添付図面で明白であるように、挿入部１０もまた、非限定的な形で、矩形状を有するシート材料で作製された平坦な本体を実質的に含む。例えば、図５の断面図で明白であるように、挿入部１０は、ハウジング２の外側に面し（ハウジング２の側壁４と向かい合い）、かつこのハウジングの内容積部３にそれぞれ面した、第１の一般的な展開表面１０ａと第２の一般的な展開表面１０ｂとの間に延在する。機構７の閉状態下で、挿入部１０の第１の展開表面１０ａの少なくとも一部分は、ハウジング２の側壁４の一部と向かい合い、特に接触し、表面１０ａは、ハウジング２の壁４、特に機構７に直接連結された壁に対向するハウジング２の前壁（ハウジング２の後部側壁としても画定可能）と少なくとも部分的に平行に延在する。
【０１２１】
さらに、挿入部１０は、以下により具体的に記載するように、容器１を開封することを可能にするために作動するように定められた作動部２２を含む。
【０１２２】
添付図面で示すように、自由縁６は、自由縁６自体のくぼみを実質的に画定する凹部２３を有する。凹部２３は、開放輪郭を有し、これは非限定的な形で略「Ｃ」形状を有する凹みを有する。凹部２３は、機構の閉状態下で挿入部１０の少なくとも一部を確認および把持することを可能にするように構成される。特に、閉鎖機構７の閉状態下で、自由縁６の凹部２３の凹みは、挿入部１０の作動部２２を露出させることができ、その結果、それ故に容器１の外側からアクセス可能であり、適切に可動である。
【０１２３】
閉鎖部９および挿入部１０は、閉鎖部９自体に対してハウジング２の自由縁６に対向した相互連結縁部を有し、挿入部１０は、前記相互連結縁部を中心に閉鎖部９に対して回転可動である。挿入部１０は、機構７の閉状態下で、断面に従って、かつ閉鎖部９と協働して略「Ｌ」形状を画定するように構成され、このような状態下で、挿入部１０は実質的に、ハウジング２の側壁４と平行に延在する。
【０１２４】
さらに、閉鎖機構７は、ハウジング２の内容積部３と外部環境との間の連通を可能にする少なくとも１つのスリット１５を含む。スリット１５は、挿入部１０に画定することができる。あるいは、スリット１５は、閉鎖部９で画定することができ、または挿入部１０および閉鎖部９の両方で延びることができる。添付図面で示すように、スリット１５は、挿入部１０と閉鎖部９との間に実質的に介在する折り曲げ線で画定することができる。閉鎖機構７の閉状態下で、スリット１５は、ハウジング２の自由縁６に配置される。
【０１２５】
図３〜図１２（特に図１２参照）で示す実施形態によれば、閉鎖機構７は、当接縁２１が介在する２つのスリット１５を有することができる。当接縁２１は、以下でより具体的に記載するように、開封手段１４と協働するように定められる。
【０１２６】
スリット１５は、同じ寸法、または代替的に異なる寸法を有することができる。ハウジング２に対して互いに反対側の２つの通路開口部５およびそれぞれの閉鎖機構７が提供される実施形態では、スリット１５は、両方の閉鎖機構７の挿入部１０または閉鎖部９に提供することができる。
【０１２７】
図２０で示す実施形態によれば、挿入部１０または閉鎖部９では、通路開口部５に隣接して画定された２つのスリット１５が提供されるが、それぞれの挿入部１０または閉鎖部９で対向する通路開口部５に隣接して、１つのスリット１５のみが提供される。
【０１２８】
寸法の観点から、各スリット１５は、１〜２００ｍｍに含まれ、特に５〜５０ｍｍに含まれる幅Ｌ１５を有する。
【０１２９】
添付図面は、スリット１５が閉鎖機構７によって支持された実質的に切り欠き１５ａからなる、本発明の好ましいが非限定的実施形態を示す。切り欠き１５ａは、閉鎖機構７によって支持され、閉鎖機構７の挿入部１０で画定され、閉状態下で、自由縁６に配置される。閉鎖部９に対して挿入部１０を折り曲げることによって、切り欠き１５ａは、切り欠き１５ａ自体によって画定された閉鎖部９のフラップを回転可能に移動することを可能にし、実際にスリット１５を形成する空間または開孔を開封することを可能にする。切り欠き１５ａは、略「Ｕ」形状（図１および図１８〜図２１参照）を有し、得られたスリット１５は、略矩形状（図１２および図１７参照）を有する。あるいは、切り欠き１５ａは、挿入部１０または閉鎖機構７とハウジング２の側壁４との間に画定された開孔によって形成することができる。
【０１３０】
添付図面で明白であるように、閉鎖機構７は、タブ８に隣接したハウジング２の自由縁６に係合した少なくとも１つの当接部２４を更に含むことができ、当接部２４は、閉状態で、タブ８と協働して前記閉状態でそれを安定的に保持するために内容積部３とそのタブとの間に介在するように構成される。当接部２４は、閉鎖部９に隣接したハウジング２の自由縁６に一体で接合したシート材料で作製された平坦なタブを実質的に含む。当接部２４は、非限定的な形で、矩形または台形状を有する。当接部２４はまた、少なくとも容器１の閉状態下で、ハウジング２の内部に面するために自由縁６を中心に回転するように構成される。
【０１３１】
より具体的には、当接部２４は、自由縁６に抑制され、その結果、この当接部は容器１の閉状態下で、前記状態でタブ８を安定的に保持するために挿入部１０および／または閉鎖部９の少なくとも一部と係合することができる。
【０１３２】
容器１は、タブ８に関して互いに反対側の２つの当接部２４を含むのが有効であり、このタブは、２つの当接部２４の間に介在する（図１１、図２０および図２２参照）。このような配置の下で、２つの当接部２４は、閉状態でタブ８を安定的に保持するためにタブ８に対称的に作用する。
【０１３３】
閉鎖機構７はまた、紙シート材料で作製され、その材料を折り曲げることによって得られるのが有効であり、特に、閉鎖機構７は、ハウジング２および同じ紙材シートと一体的に作製される。
【０１３４】
例えば図３〜図５において明白であるように、容器１は、シート材料で作製された少なくとも１つの安全手段１１を更に含み、この安全手段はタブ８によって支持された少なくとも１つの第１の係止部１２、およびハウジング２に係合した少なくとも１つの第２の係止部１３を有する。第１の係止部１２および第２の係止部１３は、閉鎖機構７の閉状態で互いに安定的に係合するように構成される。閉鎖機構７の閉状態では、容器１は、容器１が第１の係止部１２と第２の係止部１３との間での係合によって開封することができない実質的に安全状態にある。添付図面で明白であるように、第２の係止部１３は、ハウジング２の内部に配置され、側壁４のうちの１つと平行な平面で実質的に横たわる。第２の係止部１３は、閉鎖機構７の閉状態および開状態下ではハウジング２の内容積部３の完全に内部で延びる（ハウジング２の内容積部の内部に配置される）。第１の係止部１２に関して、機構７の閉状態下で、この第１の係止部は、第２の係止部１３と安定的に係合するためにハウジング２の内容積部３内に部分的に、特には完全に挿入されるように構成される。閉鎖機構７の閉状態下で、第１の係止部１２は、ハウジング２の内容積部３の内部に完全に受容され、ハウジング２の自由縁６から離間する。さらに、閉鎖機構７の閉状態下で、第２の係止部１３と第１の係止部１２との間の係合は、ハウジング２の内容積部３の内部で完全に画定される。第１の係止部１２と第２の係止部１３との間の係合は可逆式であり、換言すれば、閉鎖機構７の開状態に至った後、第１の係止部１２および第２の係止部１３は、閉鎖機構７の閉状態、およびそれ故に安全手段１１の新しい安全状態を再度規定するために再度（可逆的に）係合することができる。これは、閉状態と開状態との切り替え後、第１の係止部１２が第２の係止部１３から単純に係合解除することにより可能である。具体的には、閉状態と開状態との切り替え後、第２の係止部１３は、ハウジング２から取り外されず、または分離されないが、ハウジング２の内容積部３の内部でこのハウジング自体の側壁４に係合したままである。このように、閉鎖機構の各開状態の後、第１の係止部１２および第２の係止部１３は、このような部分が互いに安定的に係合する安全状態を規定するように構成される。
【０１３５】
添付図面は、非限定的な形で、第１の係止部１２が閉鎖機構７のタブ８と係合し、特にはそのタブによって直接支持される、容器１の配置を示す。第１の係止部１２は、タブ８の挿入部１０によってのみだが非限定的な形で支持されるのが有効であり、２つの部分１２および１０は、一体化するために一体で接合されるのが有効である。事実上、第１の係止部１２は、特に途切れることなく、閉鎖部９に対向する挿入部１０から突出する平坦なシート体を含み、挿入部１０はそれ故に、閉鎖部９と第１の係止部１２との間に介在する。第１の係止部１２は、機構７の閉状態下、よってハウジング２内への挿入部１０の挿入中に、内容積部３内にも挿入されるように構成される。
【０１３６】
第１の係止部１２のシート材料で作製された本体は、挿入部１０の第１の表面１０ａおよび第２の表面１０ｂの同じ方向にそれぞれ面した第１の第１の一般的な展開表面１２ａと第２の一般的な展開表面１２ｂと間で延在し（図５）、第１の表面１０ａ、１２ａは、それらの間で途切れることなく延在し、機構７に直接連結した側壁４に対向したハウジング２の同じ側壁４と向かい合う。第２の表面１０ｂ、１２ｂはまた、それらの間に途切れることなく延在し、ハウジング２の内容積部３に面する。
【０１３７】
より具体的には、第１の係止部１２は、閉鎖機構７の閉状態下でハウジング２の内部に配置された第２の係止部１３と安定的に係合するように構成された少なくとも１つの切込み１６を有する。添付図面で示すように、切込み１６は、識別可能であり、ハウジング２の自由縁６から離間する。図３に示すように、切込み１６は、凹みが設けられた座部２０ａを有する少なくとも１つのフック２０を含む。好ましくは、第１の係止部１２は、それぞれの座部２０ａを有する２つのフック２０を含み、これらの部分の凹みは互いに背を向ける。切込み１６は、以下により具体的に記載するように、第２の係止部１３と係合するように構成される。
【０１３８】
添付図面は、非限定的な形で、容器１の配置を示し、この配置では第２の係止部１３が閉鎖機構７の閉状態下で挿入部１０と向かい合うハウジング２の側壁４と係合する。
【０１３９】
第２の係止部１３のシート材料の本体は、第１の一般的な展開表面１３ａと第２の一般的な展開表面１３ｂとの間に延在する（図５）。第１の表面１３ａは、ハウジング２の内面に直接連結され、閉鎖機構７の閉状態下で挿入部１０の第２の表面１０ｂに面する。
【０１４０】
第２の係止部１３は同様に、少なくとも１つの切込み１７を有し、この切込みはハウジング２の内部に配置され、閉鎖機構７の少なくとも閉状態下で第１の係止部１２の切込み１６と係合するように構成される。添付図面で示すように、切込み１７は、識別可能であり、ハウジング２の自由縁６から離間した把持縁１７ａを有する。切込み１７は、少なくとも１つのフック１８を有し、このフックは座部１９を画定する（例えば、図４および図８参照）。添付図面で示すように、座部１９は、略「Ｃ」形状を有する。さらに、座部１９は、ハウジング２の側壁４に面した凹みを有し、第１の係止部１２を受容し、かつ係合して保持するように構成される。換言すれば、閉鎖機構７の閉状態下で、第１の係止部１２は、座部１９の内部に係合し、切込み１６、１７は、互いに係合する（例えば、図６参照）。安全状態下（換言すれば、閉状態下）では、第２の係止部１３におけるフック１８の座部１９の凹みは、フック２０の凹面２０ａに面する。
【０１４１】
容器１自体を開封するために、容器１には開封手段（または鍵）１４が設けられる。開封手段１４は、以下により良く記載するように、閉鎖機構７が閉状態（容器１の安全状態）から開状態に切り替えることを可能にするように構成され、このように容器１を開封することができる。
【０１４２】
開封手段１４は、１つ以上の付属物２６が突出する把持部３０を有する。付属物２６は、多角形状、例えば略正方形もしくは矩形または台形状を有することができる。付属物２６は、機構７の閉状態下で第１の係止部１２および第２の係止部１３を接触させるためにスリット１５の内部に挿入されるように、かつそれらの係止部を係合解除するように構成およびサイズ決めされる。
【０１４３】
さらに、開封手段１４は、複数の付属物２６または更なる突出部もしくは谷部を含む可能性があり、これらは第１の係止部１２および第２の係止部１３のうちの１つを係合解除する機能とは異なる機能に定められてもよい。例えば、このような付属物または突出部もしくは谷部は、この付属物がスリット１５に入るとき、開封手段１４の位置の制御を決定するのに役立つことができる。さらに、開封手段１４は、異なる形状を有する他の手段が容器１の開封を決定するためにこの開封手段の代用として使用されるのを防ぐように（この開封手段の形状により）構成されてもよい。
【０１４４】
一実施形態（例えば、図１３〜図１７参照）によれば、開封手段１４は、単一の付属物２６を有することができる。このような形状を有する開封手段１４は、例えば、閉鎖機構７に単一のスリット１５が設けられる容器１を開封するために使用されてもよい。容器１の閉鎖機構７に単一のスリット１５が設けられる実施形態は、例えば、図１３〜図１７に示される。
【０１４５】
あるいは、開封手段１４には、把持部３０から突出する少なくとも２つの付属物２６が設けられてもよい（例えば、図３、図４、図７参照）。付属物２６は、それらの付属物の間に画定された当接縁２７から離れて延びる。この実施形態によれば、開封手段１４は、略「Ｃ」、「Ｈ」または「Ａ」形状を有する。
【０１４６】
開封手段１４がスリット１５の内部に挿入されると、開封手段１４の当接縁２７は、スリット１５自体の内部で開封手段１４の進行を制限し、それ故にその開封手段がハウジング２の内容積部３に完全に入るのを防ぐために、閉鎖機構７の当接縁２１に当接する。開封手段１４がハウジング２の内容積部３の完全に内部である場合、容器１を開封することは困難であり、これはユーザが容器１を開封するために開封手段１４自体に影響を及ぼすことが不可能であるためである。当接縁２１は、スリット１５の間で閉鎖部９に画定されることが好ましい。
【０１４７】
開封手段１４は、シート材料で作製される。本発明の好ましいが非限定的な実施形態では、開封手段１４は、紙シート材料（紙または板紙）で作製される。提供されるシート材料は、ハウジング２および閉鎖機構７を作製するために使用される同じ材料であることが好ましい。
【０１４８】
開封手段１４は、ハウジング２または容器１と同じ材料で作製することができる。図１、図１８、図１９および図２１で示す実施形態によれば、開封手段１４は、容器１と一体的に作製することができ、容器１が初めて開封するときに容器１自体から切り離され、または分離されるように定められた容器１の一部分であり得る。
【０１４９】
さらに、それぞれの閉鎖機構７および安全手段１１が提供される２つの通路開口部５が容器１に設けられる実施形態では、容器１は、互いに異なる第１および第２の開封手段１４を含むことができる。このような開封手段１４は、各通路開口部５にそれぞれ配置されたそれぞれの閉鎖機構７の第１の係止部１２および第２の係止部１３を係合解除するように構成される。例えば、２つの異なる開封手段１４が設けられた容器１を図２０に示す。
【０１５０】
さらに、容器１は、開封手段１４が使用されないときにこの開封手段を受容および支持するようになっているハウジング座部が設けられたケース２５を含むことができる。図２２で示すように、ケース２５は、ハウジング２の内容積部３の外側に係合する。好ましい実施形態によれば、ケース２５は、紙シート材料で作製される。
【０１５１】
図２２で示すように、容器１は、被覆部２９を更に含むことができる。被覆部２９は、ハウジング２の縁部に係合し、ハウジング２の内容積部３の外側に配置される。被覆部２９は、閉位置（この被覆部がハウジング２の壁４の外面に当接する）と開位置（例えば、図２２に示す）との間でハウジング２の前記縁部に対して回転することができる。被覆部２９は、開封手段１４のためのケース２５を実質的に画定する。
【０１５２】
容器を作製するための方法
さらに、本発明は、特に添付の特許請求の範囲の１つ以上に従って、容器１を作製するための方法に言及する。容器は、単一の予備成形シート、好ましくは紙材で作製することができる。予備成形シート５０は、容器１の内面および外面をそれぞれ画定するようになっている第１の一般的な展開表面と第２の一般的な展開表面との間に延在する。本方法は、予備成形シート５０の第１の一般的な展開表面および／または第２の一般的な展開表面の少なくとも一部にプラスチック材料の膜を係合させるステップを含むことができる。
【０１５３】
まず、本方法は、ハウジング２を用意するステップを含み、このハウジングは上述したように、シート材料、随意により紙材で作製される。
【０１５４】
ハウジング２を用意するステップは、中央連結部５３によって相互連結された少なくとも１つの第１の部分５２および１つの第２の部分５４を含む少なくとも１つの第１のシート５１を用意するステップを含む。さらに、第１のシート５１は、例えば図１、図２、図１８、図１９および図２１で明白であるように、少なくとも１つの第１の側方連結部５５および１つの第２の側方連結部５６を含み、中央連結部５３は、第１の部分５２と第２の部分５４との間に介在し、第１の部分５２は、第１の側方連結部５５と中央連結部５３との間に介在するが、第２の部分５４は第２の側方連結部５６と中央連結部５３との間に介在する。前記部分５２、５３、５４、５５、５６の各々は、少なくとも２つの長手方向の両縁部および２つの両端縁部を含み、この部分５２、５４、中央連結部５３、および前記側方連結部５５、５６は、長手方向縁部に沿って接合され、単一の連結方向に沿って整列される。
【０１５５】
本発明の好ましいが非限定的な配置では、第１のシート５１の第１の部分５２は、下縁部５２ａ、第１の側縁部５２ｂ、第２の側縁部５２ｃ、および上縁部５２ｄによって周縁に境界が定められた矩形状を有する。同様に、第１のシート５１の第２の部分５４は、下縁部５４ａ、第１の側縁部５４ｂ、第２の側縁部５４ｃ、および上縁部５４ｄによって周縁に境界が定められた矩形状を有する。第１の部分５２および第２の部分５４は、略同じ形状およびサイズを有するシートを含むのが有効である。
【０１５６】
中央部５３および側方連結部５５、５６もまた矩形状を有し、このような部分は、同じ形状および／またはサイズを実質的に有し、側縁部で第１のシート５１の部分５２および５４に一体で接合される。
【０１５７】
ハウジング２を用意するステップは、部分５２および５４の側縁部で第１のシート５１を折り曲げるステップを含む。最初に、ハウジング２を形成するステップは、第１の部分５２に対して側方連結部、例えば部分５５を折り曲げるステップと、それを第２の部分５４に接近するステップ（図２）とを含み、例えば、側方連結部５５を折り曲げることが可能であり、その結果、この第２の部分は第１の部分５２と協働して略「Ｌ」形状を画定することができる。次に、本方法は、例えば、第１の部分５２に対して第１の中央部５３を折り曲げるステップと、それを既に折り曲げられた部分５５に接近するステップとを提供し、例えば、中央部５３を折り曲げるステップを提供することが可能であり、その結果、この折り曲げられた部分は第１の部分５２と協働して略「Ｌ」形状を画定することができる。次に、例えば、中央部５３に対して第２の部分５４を折り曲げるステップと、それを第１の部分５２に接近するステップとを提供することが可能であり、例えば、第２の部分５４を折り曲げるステップを提供することが可能であり、その結果、この第１の部分は中央部５３と協働して略「Ｌ」形状を画定することができる。ハウジング２を完全に形成するために、本方法は、第２の部分５４に対して残りの側方連結部、例えば部分５６を折り曲げるステップを提供し、その結果、前記側方連結部５５、５６を接合することが可能である。折り曲げられた三次元形状でのハウジング２を保持するために、本方法は、非限定的な形で、互いに当接するようになっている側方連結部５５、５６に所定の量の糊の塗布を含むことができ、前記部分５５、５６を接合することにより、折り曲げられた配置でハウジング２を動かなくすることが可能となる。
【０１５８】
第１のシート５１を用意するステップは、押しつぶすステップを含むことができることに留意することが有用であり、このステップにより、前記第１のシート５１の部分の長手方向側縁部と一致するいくつかの折り曲げ線を同じシートに画定することが可能となる。事実上、第１のシート５１の部分を折り曲げるステップは、前記部分の長手方向側縁部にちょうど沿って実行され、これはこの部分が動かされる（折り曲げられる）のを助けるために押しつぶされる。第１のシート５１は、紙材で作製されるのが有効である。
【０１５９】
さらに、本方法は、閉鎖機構７を用意するステップを含む。このようなステップは、特に第１のシート５１の第１の部分５２の端縁部で、好適には第１のシート５１に一体で接合した、少なくとも１つの第２のシート５７を用意するステップを含む。第２のシート５７は、互いに一体で接合した少なくとも１つの第１の部分５８および１つの第２の部分５９を含み、第２のシート５７の第１の部分５８は、第１のシート５１に連結され、その結果、前記第１の部分５８は第２のシート５７の第２の部分５９と第１のシート５１との間に介在する。添付図面は、本発明の好ましいが非限定的な配置を示し、この配置では第１のシート５１に係合し、かつこの第１のシートに対向して配置された２つの第２のシート５７が用意される。例えば、第２のシート５７は、第１のシート５１の第１の部分５２の上縁部５２ｄおよび／または下縁部５２ａに直接連結される。図１、図２、図１８、図１９および図２１は、非限定的な形で、部分５２の下縁部５２ａおよび上縁部５２ｄにそれぞれ２つの第２のシート５７が用意される、一実施形態を示す。第２のシート５７は、単一のシートを画定するために第１のシート５１と一体であるのが有効であり、第２のシート５７もまた、紙材、特に第１のシート５１と略同じ特性を有する紙材シートで作製されることが好ましい。
【０１６０】
さらに、本方法は、閉鎖機構７の閉鎖部９および挿入部１０をそれぞれ形成するために第２のシート５７の第１の部分５８および第２の部分５９を折り曲げるステップを含む。
【０１６１】
第２のシート５７を用意するステップは、第１の部分５８および／または第２の部分５９で作製され、かつ開封手段１４を挿入することを可能にするように定められた１つ以上のスリット１５を形成するステップを更に含む。本発明の一実施形態によれば、１つ以上のスリット１５を形成するステップは、第１の部分５８および／または第２の部分５９で１つ以上の切り欠き１５ａを作製するステップを含む。特に、それぞれのスリット１５は、各々形成された切り欠き１５ａに対応する。
【０１６２】
加えて、本方法は、安全手段１１を用意するステップを含む。このようなステップは、少なくとも１つの第３のシート６０および１つの第４のシート６３を用意するステップを含む。
【０１６３】
第３のシート６０は、第１のシート５１に一体で、特に第１のシートの第２の部分５４の端縁部で接合されるのが有効である。第３のシート６０は、第１の部分６１および第２の部分６２を含み、第１の部分６１は、第２の係止部１３を形成するように定められる。ハウジング２を形成するステップの間、第３のシート６０は、第１のシート５１の第２の部分５４に対して折り曲げられ、それに一体で接合されるのが有効である。本方法は、非限定的な形で、互いに当接するようになっている第３のシート６０の第２の部分６２に、かつ第１のシート５１の第２の部分５４の一部に所定の量の糊を塗布するステップを含むことができ、前記部分を接合することにより、安全手段１１の第２の係止部１３を画定することが可能となる。特に、第２の係止部は、第１のシート５１の第２の部分５４から離れて第３のシート６０の第１の部分６１を折り曲げることによって画定される。添付図面は、本発明の好ましいが非限定的な配置を示し、この配置では第１のシート５１に係合し、かつこの第１のシートに対向して配置された２つの第３のシート６０が用意される。例えば、第３のシート６０は、第１のシート５１の第２の部分５４の上縁部５４ｄおよび／または下縁部５４ａに直接連結される。図１、図２、図１８、図１９および図２１は、非限定的な形で、部分５４の下縁部５４ａおよび上縁部５４ｄにそれぞれ２つのシート６０の形成が用意される、一実施形態を示す。第３のシート６０は、単一のシートを画定するために第１のシート５１に一体で接合されるのが有効であり、第３のシート６０もまた、紙材、特に第１のシート５１および第２のシート５７の略同じ特性を有する紙材シートで作製されることが好ましい。
【０１６４】
第４のシート６３は、第２のシート５７に一体で、特に第２のシート５７の第２の部分５９の端縁部で接合されるのが有効である。第４のシート６３は、第２のシート５７の第２の部分５９に一体で接合された部分６４を含む。この部分６４は、安全手段１１の第１の係止部１２に実質的にある。添付図面は、本発明の好ましいが非限定的な配置を示し、この配置ではそれぞれの第２のシート５７に係合し、第１のシート５１に対向して配置された２つの第４のシート６３が用意される。第４のシート６３は、単一シートを画定するために第２のシート５７と一体であるのが有効であり、具体的には、第４のシート６３もまた、紙材、特に第１のシート５１、第２のシート５７および第３のシート６０と略同じ特性を有する紙材シートで作製される。
【０１６５】
さらに、本方法は、第５のシート６５を用意するステップを含む。第５のシートは、中央連結部５３および／または第２の側方連結部５６に一体で接合されるのが有効である。第５のシート６５は、当接部２４を形成するように定められる部分６６を含む。添付図面は、本発明の好ましいが非限定的な配置を示し、この配置では４つの第５のシート６５が用意され、それらのうちの２つが中央連結部５３の両縁部で係合し、それらのうちの２つが第２の側方連結部５６の両縁部で係合する。第５のシート６５は、単一シートを画定するために第１のシート５１と一体であるのが有効であり、具体的には、第５のシート６５もまた、紙材、特に第１のシート５１、第２のシート５７、第３のシート６０および第４のシート６３と略同じ特性を有する紙材シートで作製される。
【０１６６】
さらに、本方法は、第６のシート６７を用意するステップを含む。第６のシート６７は、第１のシート５１に一体で、特に第２の側方連結部５６の第１の側方連結部５５で接合されるのが有効である。第６のシート６７と第１のシート５１との間には、第１のシート５１から第６のシート６７を分離することを助けるようになっている弱化部が提供され得る。第６のシート６７は、開封手段１４を実質的に形成するように定められた部分６８を含む。本方法は、単一部分６８を画定するために第６のシート６７を成形するステップを含み、この部分は少なくとも１つの付属物２６が突出する少なくとも１つの把持部３０を含む。図１８で示す実施形態では、第６のシート６７は、開封手段１４がスリット１５の内部に完全に入るのを防ぐように構成された当接縁２７を画定するようになっている側方突出部７５を含む。当接縁２７は、開封手段１４の付属物２６のみをスリット１５内に挿入することを可能にするために、スリット１５に隣接した容器１のそれぞれの当接縁と接触するように定められる。
【０１６７】
図１、図２、図１８、図１９および図２１に示す一実施形態によれば、開封手段１４は、容器１と一体で形成され、容器１の第１の開状態の前にそれから分離され得る。さらに、図１〜図３、および図１８〜図１９の添付図面は、本発明の好ましいが非限定的な配置を示し、この配置では第２の連結部５６で第１のシート５１に接合された２つの第６のシート６７が用意される。第６のシート６７は、単一シートを画定するために第１のシート５１と一体であるのが有効であり、具体的には、第６のシート６７もまた、紙材、特に第１のシート５１、第２のシート５７、第３のシート６０、第４のシート６３および第５のシート６５と略同じ特性を有する紙材シートで作製される。
【０１６８】
本方法は、容器１を作製するために第１のシート５１を折り曲げるステップの間、第６のシート６７がハウジング２の内容積部３の外側に残り、その結果、容器１が閉鎖すると、部分６８が容器１を開封することを可能にするために第１のシート５１からいずれにしても分離され得ることを提供する。
【０１６９】
図２１で示す実施形態によれば、本方法は、第７のシート７１および第８のシート７２を用意することを含む。第７のシート７１および第８のシート７２は、互いに接合されるように定められたそれぞれの部分７３、７４を含む。第７のシート７１は、第１のシート５１の第２の側方連結部５６に係合し、第８のシート７２は、第７のシート７１の部分７３に係合する。このような実施形態によれば、第６のシート６７は、第７のシート７１および／または第８のシート７２に直接係合する。
【０１７０】
第７のシート７１は、単一シートを画定するために第１のシート５１に一体で接合されるのが有効であり、具体的には、第７のシート７１もまた、紙材、特に第１のシート５１、第２のシート５７、第３のシート６０、第４のシート６３、第５のシート６５および第６のシート６７と略同じ特性を有する紙シート材料で作製される。
【０１７１】
第８のシート７２は、単一シートを画定するために第７のシート７１に一体で接合されるのが有効であり、具体的には、第８のシート７２もまた、紙材、特に第１のシート５１、第２のシート５７、第３のシート６０、第４のシート６３、第５のシート６５、第６のシート６７および第７のシート７１と略同じ特性を有する紙シート材料で作製される。図１９で示す実施形態によれば、第６のシート６７は、第７のシート７１および第８のシート７２と一体であり得る。
【０１７２】
容器１を作製するための方法の範囲では、第７のシート７１の部分７３および第８のシート７２の部分７４は、当接が取られ、互いに接合される。このようなステップは、ハウジング２を用意する範囲で、または代替的にハウジング２自体を形成する前もしくはその後に実行することができる。本方法は、非限定的な形で、互いに当接するようになっている部分７３、７４に所定の量の糊を塗布するステップを含むことができる。前記部分７３、７４を接合することにより、折り曲げられた配置でそれらと相互に係合することが可能となる。このように、部分７３、７４は、前述のように被覆部２９および／またはケース２５を実質的に形成するであろう。
【０１７３】
さらに、本方法は、好ましくは紙シート材料で作製された安全手段１１を用意することを含む。このようなステップは、第１の係止部１２および第２の係止部１３を形成するステップを含む。安全手段１１を用意するステップは、切込み６９、７０を形成するステップを含む。切込み６９、７０は、容器１の切込み１６、１７を画定するように実質的にそれぞれなっている。切込み１６、１７は、第１の係止部１２および第２の係止部１３にそれぞれ画定され、容器１の閉状態を規定するために互いに係合するようになっている。本発明の好ましいが非限定的な実施形態によれば、第１の係止部１２は、第１の係止部１２の中線に対して対称的に配置された２つの切込み１６を含み、第２の係止部１３は、第２の係止部１３の中線に対して対称的に配置された２つのそれぞれの切込み１７を含む。
【０１７４】
切込み１６、１７を形成するステップは、少なくとも１つのフック１８、２０を形成するステップを含む。フック２０は切込み１６に形成され、フック１８は切込み１７に形成されることが好ましい。フック１８を形成することは、第１の係止部１２が当接するように定められる座部１９を形成することを更に含む。
【０１７５】
容器を開閉するための方法
前述の種類の容器１は、閉鎖機構７および安全手段１１を手動または自動的に作動することによって閉鎖するように構成される。特に、容器１を閉鎖するために、閉鎖部９は、ハウジング２の自由縁６を中心に回転可能に移動する。このような移動は、挿入部１０をハウジング２の内部に移動させるために行われる。したがって、第１の係止部１２は、第２の係止部１３とハウジング２の壁４との間に挿入され、それにより前記第２の係止部１３が係合する。このような挿入により、第１の係止部１２の切込み１６は、図６で示す配置に至るための第２の係止部１３の切込み１７と係合するために第２の係止部１３の切込み１７と係合することが可能となる。上述の閉鎖方法は、通路開口部５のクロージャに言及する。それぞれの閉鎖機構７および安全手段１１を有する別の通路開口部５が容器１内に提供される場合、上述の方法は、更なる通路開口部５を閉鎖するために同様に行うことができる。
【０１７６】
本発明によれば、容器１は、閉鎖機構７に開封力を加えることだけで開封されないように構成される。
【０１７７】
容器１を開封することに関して、開封手段１４を使用することが必要である。容器１の開封を決定することに関して、開封手段１４は、容器１の１つ以上のスリット１５内に少なくとも部分的に挿入される。例えば、図８は、開封手段１４がハウジング２内に部分的に挿入される配置を示す。開封手段１４が挿入されるとき、それは第１の係止部１２および第２の係止部１３と接触し、係合解除を決定する。特に、開封手段１４は、第１の係止部１２および第２の係止部１３の切込み１６、１７の係合解除を生じさせる。開封手段１４は、第１の係止部１２と第２の係止部１３との間で移動することによって前記係止部１２、１３を係合解除することができる。例えば、図１０は、開封手段１４がスリット１５の内部に挿入され、第１の係止部１２と第２の係止部１３との間でハウジング２の内部に延びる配置を示す。このような配置では、第１の係止部１２および第２の係止部１３は係合解除し、容器１は開封することができる。容器１の開封を完了することに関して、例えば作動部２２でタブ８に開封力を加えることによって閉鎖機構７に作用することが必要である。開封力は、ハウジング２の自由縁６に対してタブ８を回転可能に移動させるように加えられなければならない。作動部２２を開封するための力は、開封手段１４がスリット１５で係合するときに加えられなければならず、これは第１の係止部１２および第２の係止部１３が係合解除するときだけ、容器１を正しく開封することが可能であるためである。容器１を開封するために、タブ８はそれ故に、開封手段１４と一体的に移動する。タブ８を移動させることは、開封手段１４と一体的に全体的な閉鎖機構７の移動を決定する。このような移動により、容器１を開封することができる。
【０１７８】
換言すれば、容器１は、開封手段１４によってのみ開封されるように構成され、この開封手段は係止部１２と係止部１３との間の係合解除機構としての機能を果たす。容器１を開封するための上述の方法は、子供、具体的には５歳未満のほとんどの子供が容器１を開封するのを防ぐために考案されている。
【０１７９】
容器１を開封した後、ある人がそれを閉鎖することを望む場合、スリット１５から開封手段１４を係合解除することが必要であり、その結果、第１の係止部１２はハウジング２の自由縁６を中心にタブ８を移動させた後、第２の係止部１３を再度係合させることができる。
【０１８０】
本発明の利点
本発明により、以下の利点の１つ以上を得ることができ、先行技術で見出された課題の１つ以上を解決することができる。まず、本発明は、子供が容器にアクセスするのを効果的に防ぐことができ、それと同時に単純かつ小型構造を保つ容器を提供する。さらに、本発明は、開封手段によってのみ開封することができる単純かつ小型構造を有する容器を提供することによって「チャイルドプルーフ」容器を単純化することができる。開封手段なしでは容器を開封することが可能ではないが、開封手段を使用することによって、容器は単純、高速かつ効果的な形で開封することができる。
【０１８１】
したがって、本発明による「チャイルドプルーフ」容器は、開封手段なしで行われる容器を開封する試みにかかわらず、閉状態および安全状態を維持するように構成されるのが有効である。これは、子供が容器を開封するのを防ぐために特に有利である。さらに、本発明による「チャイルドプルーフ」容器には、紙材で作製され、それ故に容易に再利用可能かつ／または生分解性がある閉鎖／開封機構（安全手段）が設けられる。
【０１８２】
さらに、本発明は、軽量かつ小型の容器を提供し、容器自体の複数回の開閉後、その完全性を確保することができる。このように、容器を開封した後にそれを安全状態にリセットすることが可能であり、それ故に、その後の容器の開封は、開封手段を使用することによってのみ可能となる。
【０１８３】
さらに、本発明は、市販の包装機を使用することによって手動でも自動的でも閉鎖することができる。
【図１】
2018516816.tif 000003
【図２】
2018516816.tif 000004
【図３】
2018516816.tif 000005
【図４】
2018516816.tif 000006
【図５】
2018516816.tif 000007
【図６】
2018516816.tif 000008
【図７】
2018516816.tif 000009
【図８】
2018516816.tif 000010
【図９】
2018516816.tif 000011
【図１０】
2018516816.tif 000012
【図１１】
2018516816.tif 000013
【図１２】
2018516816.tif 000014
【図１３】
2018516816.tif 000015
【図１４】
2018516816.tif 000016
【図１５】
2018516816.tif 000017
【図１６】
2018516816.tif 000018
【図１７】
2018516816.tif 000019
【図１８】
2018516816.tif 000020
【図１９】
2018516816.tif 000021
【図２０】
2018516816.tif 000022
【図２１】
2018516816.tif 000023
【図２２】
2018516816.tif 000024
【国際調査報告】
2018516816.tif 000025
2018516816.tif 000026